(57)【要約】【課題】画像形成システムを構成する画像形成装置の動作状態に応じてスキャナ装置を駆動する際のピーク電力を調整制御してシステム全体の電力安定化を図ること。【解決手段】画像形成装置２０に接続されるスキャナ装置１０には、原稿と該原稿を光学的に読み取る撮像素子とを相対的に移動させるスキャナ処理用駆動モータ１３と、画像形成装置２０のピーク電力に応じてスキャナ処理用駆動モータ１３におけるピーク電力を調整制御するモータ制御部１４とを備えた。【選択図】図２
2014050085.tif 000002
【特許請求の範囲】
【請求項１】
画像形成装置に接続されるスキャナ装置であって、
原稿と該原稿を光学的に読み取る撮像素子とを相対的に移動させるスキャナ処理用駆動モータと、
前記画像形成装置のピーク電力に応じて、前記スキャナ処理用駆動モータにおけるピーク電力を調整制御するモータ制御部と、
を備えたことを特徴とするスキャナ装置。
【請求項２】
前記モータ制御部は、制御対象となる前記スキャナ処理用駆動モータにおける加速制御の傾きを調整制御して当該スキャナ処理用駆動モータのピーク電力を制御することを特徴とする請求項１記載のスキャナ装置。
【請求項３】
前記モータ制御部は、制御対象となる前記スキャナ処理用駆動モータにおける励磁電流の電流値を調整制御して当該スキャナ処理用駆動モータのピーク電力を制御することを特徴とする請求項１又は２記載のスキャナ装置。
【発明の詳細な説明】
【技術分野】
【０００１】
本発明は、所望の原稿から読み取った画像データを出力するスキャナ装置に係り、特に画像形成装置の動作状態に応じてスキャナ動作時のピーク電力を適正に制御するスキャナ装置に関するものである。
【背景技術】
【０００２】
従来から、例えばインクジェットプリンタ、レーザプリンタ、複写機等の各種画像形成装置に所望の原稿の画像を読み取るためのスキャナ装置やＦＡＸ等の周辺機器が具備された複合型の画像形成システムである複合機（ＭＦＰ：Multi Function Peripheral ）が広く普及している。
【０００３】
ところで、この種の複合機における駆動時のピーク電力は、動作状態（例えば、アイドル中、ウォームアップ中、印刷中、メンテナンス中）によって逐次変化し、例えば原稿をスキャンしてコピーを行うような場合、スキャナ部、画像形成部及び操作表示部が同時に動作するため、スキャン処理のみを行う場合に比べてピーク電力が高くなる傾向にある。そのため、上記のようなシステム全体を駆動した場合、電力供給設備が十分に整っていない地域（例えば、離島、山間部、発展途上国等）では、安定した印刷処理が行えないという問題があった。
【０００４】
そこで、電力供給が不安定な地域であっても使用環境に応じて適切な電力制御が行える画像形成装置として、例えば下記特許文献１に開示されるものが公知である。
【０００５】
下記特許文献１に開示される画像形成装置は、外部の電力系統の末端部に配置され所定値を超える電流が流れると回路を遮断する電流制限器を介して電力の供給を受け動作する画像形成装置であって、画像形成装置の動作中の消費電力を制御する画像形成制御部と、電流制限器を流れる電源電流の大きさを取得する電源電流値取得部と、取得された電源電流の大きさに対する上限値を設定する上限値設定部とを備え、画像形成制御部が、電源電流の大きさが設定された上限値を上回らないように消費電力を制御している。
【先行技術文献】
【特許文献】
【０００６】
【特許文献１】特開２００７−１３３１５８号公報
【発明の概要】
【発明が解決しようとする課題】
【０００７】
しかしながら、特許文献１の画像形成装置では、電源供給元である電流制御器を流れる電源電流の大きさを測定するための電源電流値取得部を備える必要があるため、製造コストが嵩むという問題があった。
【０００８】
また、画像形成システムで使用される最大ピーク電力を予め測定しておき、使用環境等に応じて限界値よりも下げた仕様にすることでシステムの動作状態は安定するが、その分、システムの起動時間や処理速度等が遅くなりスループットの低下を招いてしまうという問題があった。
【０００９】
そこで、本発明は上記問題点に鑑みてなされたものであり、処理動作時におけるスループットの低下を最低限に抑えつつ、使用環境下における電源電流値を測定せずに画像形成システム全体のピーク電力を低減させることのできるスキャナ装置を提供することを目的とするものである。
【課題を解決するための手段】
【００１０】
上記した目的を達成するため、請求項１記載のスキャナ装置は、画像形成装置に接続されるスキャナ装置であって、
原稿と該原稿を光学的に読み取る撮像素子とを相対的に移動させるスキャナ処理用駆動モータと、
前記画像形成装置のピーク電力に応じて、前記スキャナ処理用駆動モータにおけるピーク電力を調整制御するモータ制御部と、
を備えたことを特徴とする。
【００１１】
請求項２記載のスキャナ装置は、請求項１記載のスキャナ装置において、前記モータ制御部は、制御対象となる前記スキャナ処理用駆動モータにおける加速制御の傾きを調整制御して当該スキャナ処理用駆動モータのピーク電力を制御することを特徴とする。
【００１２】
請求項３記載のスキャナ装置は、請求項１又は２記載のスキャナ装置において、前記モータ制御部は、制御対象となる前記スキャナ処理用駆動モータにおける励磁電流の電流値を調整制御して当該スキャナ処理用駆動モータのピーク電力を制御することを特徴とする。
【発明の効果】
【００１３】
請求項１記載のスキャナ装置によれば、当該スキャナ装置に接続される画像形成装置のピーク電力に合わせてスキャナ装置のピーク電力を調整制御することができるため、電力供給が不安定な地域に供給した場合であっても、システム全体のピーク電力を適切に抑制することができる。
【００１４】
また、スキャナ装置におけるピーク電力抑制制御を必要時のみ行うようにするため、スループット低下を最小限に留めることができる。
【００１５】
また、請求項２記載のスキャナ装置によれば、モータ制御部が制御対象となるスキャナ処理用駆動モータにおける加速制御の傾きを調整制御して当該スキャナ処理用駆動モータのピーク電力を制御することができるため、画像形成装置のピーク電力に合わせてスキャナ装置のピーク電力を調整制御することができ、電力供給が不安定な地域に供給した場合であっても、システム全体のピーク電力を適切に抑制しながらスループット低下を最小限に留めることができる。
【００１６】
また、請求項３記載のスキャナ装置によれば、モータ制御部が制御対象となるスキャナ処理用駆動モータとしてステッピングモータを使用した場合に、励磁電流の電流値を調整制御して当該スキャナ処理用駆動モータのピーク電力を制御することができるため、画像形成装置のピーク電力に合わせてスキャナ装置のピーク電力を調整制御することができ、電力供給が不安定な地域に供給した場合であっても、システム全体のピーク電力を適切に抑制しながらスループット低下を最小限に留めることができる。
【図面の簡単な説明】
【００１７】
【図１】本発明に係るスキャナ装置と該装置搭載される画像形成装置とで構成される画像形成システムの概略構成図である。
【図２】同システムにおける機能ブロック図である。
【図３】（ａ）は高ピーク電力駆動制御によってスキャナ装置を駆動制御する際の台形加速制御パターンを示すグラフであり、（ｂ）は低ピーク電力駆動制御によってスキャナ装置を駆動制御する際の台形加速制御パターンを示すグラフである。
【図４】（ａ）はプリンタ動作状態情報比較テーブルを示す表であり、（ｂ）はプリンタ印刷情報比較テーブルを示す表である。
【図５】画像形成システムにおけるスキャナ装置のピーク電力制御に関する処理動作を行うためのフローチャート図である。
【発明を実施するための形態】
【００１８】
以下、本発明を実施するための形態について、添付した図面を参照しながら詳細に説明する。また、この実施の形態によりこの発明が限定されるものではなく、この形態に基づいて当業者などによりなされる実施可能な他の形態、実施例及び運用技術などはすべて本発明の範疇に含まれる。
【００１９】
なお、以下の説明では、画像形成システムとして本例のスキャナ装置（スキャナ部）を画像形成装置（印刷部）のスキャナ部として搭載した複合機（ＭＦＰ：Multi Function Peripheral ）の例で説明するが、これに限定されることはない。例えば、スキャナ装置と画像形成装置とを別体として有線若しくは無線でネットワーク接続し、同一の電源供給部（ＡＣ電源等）から電力供給されているようなシステム構成であってもよく、さらにシステム構成として画像形成装置の後段にステープル処理等を行う後処理装置を接続してもよい。
【００２０】
また、画像形成装置としてインクジェット記録装置を用いた例で説明するが、印刷用紙（以下、単に「用紙」ともいう）に所望の画像が形成できればよいため、例えば孔版印刷装置、複写機、レーザプリンタ等の各種画像形成装置を採用することもできる。
【００２１】
［画像形成システムの構成］
図１又は図２に示すように、本例の画像形成システム１として機能する複合機は、スキャナ装置１０と、画像形成装置２０とを備えている。
【００２２】
＜スキャナ装置について＞
図１又は図２に示すように、本例のスキャナ装置１０は、ガラス等の光透過性の材料からなる原稿台（フラットベッド）と、光源、ミラー、ＣＣＤ（Charge Coupled Devices）等の撮像素子とがユニット化されたキャリッジ１１と、原稿台の上側を開閉可能に支持された原稿カバーに設けられる原稿自動送り装置１２（Auto Document Feeder：ＡＤＦ）とから構成されている。
【００２３】
また、キャリッジ１１は、原稿台の下方で主走査方向に直交する副走査方向において、キャリッジ移動用モータ１１ａの駆動により往復移動可能に支持されている。スキャナ装置１０は、所望の原稿と撮像素子（すなわち、キャリッジ１１）とを相対的に移動させて原稿の画像を光学的に読み取り、読み取った画像に対応する画像データを画像形成装置２０に出力する。
【００２４】
スキャナ装置１０におけるスキャン動作モードとしては、ＡＤＦ１２の原稿載置台に複数枚の原稿を載置して、ＡＤＦ１２における原稿の搬送経路に対向する位置にキャリッジ１１を停止させた状態で自動搬送される原稿の画像を読み取る「原稿移動スキャンモード」と、原稿台の所定位置に置いた原稿を原稿カバーで上から抑えキャリッジ１１を副走査方向に移動させながら原稿の画像を読み取る「原稿固定スキャンモード」とを有し、各モードはユーザの使用形態に応じて任意に選択可能となっている。
【００２５】
また、スキャナ装置１０は、画像形成装置２０からのスキャナ駆動制御情報（低ピーク電力駆動制御情報、高ピーク電力駆動制御情報）を入力すると、入力したスキャナ駆動制御情報に従って、制御対象であるスキャン処理用駆動モータ１３を駆動制御するモータ制御部１４を備えている。
【００２６】
なお、スキャン処理用駆動モータ１３は、実行されるスキャンモードに応じてスキャン処理を実行する際に駆動するモータ（すなわち、モータ制御部１４が制御対象とするモータ）である。例えば、原稿固定スキャンモードの際はキャリッジ１１を移動させるためのキャリッジ移動用モータ１３ａが制御され、原稿移動スキャンモードの際はＡＤＦ１２に搭載された原稿搬送用モータ１３ｂが制御される。
【００２７】
モータ制御部１４は、画像形成装置２０からのスキャナ駆動制御情報と、スキャン処理情報とにより、予め駆動条件として設定された複数の台形加速制御パターンのうち、適切な制御パターンで制御対象となるスキャン処理用駆動モータ１３を駆動制御している。
【００２８】
ここで、画像形成装置２０から入力するスキャナ駆動制御情報に応じたスキャン処理用駆動モータ１３の処理内容について、図３を参照しながら説明する。
【００２９】
なお、以下に説明する処理制御では、画像形成装置２０においてスキャナ駆動モード選択情報（プリンタ動作情報、プリンタ印刷情報）に応じて適宜選択されるスキャナ駆動制御情報に従ってスキャナ装置１０の駆動制御を行っている。従って、制御対象となるスキャン処理用駆動モータ１３は、スキャナ駆動制御情報によって決定する台形加速制御パターンとなるように駆動制御するため、加速制御の傾き（すなわち、駆動開始時から所定の定常速度となるまでの間の加速時及び定常速度から該モータ１３を停止させるまでの減速時における傾き）の調整制御と、この傾きの調整に合わせた励磁電流の電流値の調整制御との何れか一方又は両方が制御される。
【００３０】
（高ピーク電力駆動制御）
モータ制御部１４は、スキャナ駆動制御情報として画像形成装置２０から高ピーク電力駆動制御情報を入力すると、図３（ａ）に示すようなピーク電力が高くても問題なく生産性を高めた急な傾きとなる台形加速制御を行うため、制御対象となるスキャン処理用駆動モータ１３の構成に応じて該当するモータ１３における加速制御の傾きの調整制御と、励磁電流の電流値の調整制御との何れか一方又は両方を制御している。
【００３１】
（低ピーク電力駆動制御）
モータ制御部１４は、スキャナ駆動制御情報として画像形成装置２０から低ピーク電力駆動制御情報を入力すると、図３（ｂ）に示すようなピーク電力を抑制するように緩やかな傾きとなる台形加速制御を行うため、制御対象となるスキャン処理用駆動モータ１３の構成に応じて、該当するモータ１３における加速制御の傾きの調整制御と、励磁電流の電流値の調整制御との何れか一方又は両方を制御している。
【００３２】
なお、スキャン処理用駆動モータ１３であるキャリッジ移動用モータ１３ａ及び原稿搬送用モータ１３ｂの構成としては、ステッピングモータ又はＤＣモータの何れであってもよく、使用するモータの構成によってスキャナ駆動制御情報に応じて制御される制御パラメータが異なる。
【００３３】
例えば、スキャン処理用駆動モータがステッピングモータの場合、「モータの駆動パルス数」と「励磁電流の電流値」の何れか一方の制御パラメータをスキャナ駆動制御情報に合わせて調整制御し、電力的な無駄を省くという点では両方の制御パラメータをスキャナ駆動制御情報に合わせて調整制御するのが好ましい。例えば、ステッピングモータを使用した場合に、台形加速を緩やかにするために駆動パルス数を緩やかにすると必要なトルクが下がるため、これに伴って励磁電流の電流値を下げることができる。これにより、ピーク電力を低下させることが可能となる。また、スキャン処理用駆動モータがＤＣモータの場合、制御パラメータである「印加電圧の電圧値」をスキャナ駆動制御情報に合わせて調整制御する。
【００３４】
＜画像形成装置の構成＞
図１又は図２に示すように、本例の画像形成装置２０は、給紙部３０と、画像形成部４０と、排紙部５０と、反転部６０と、操作表示部７０と、制御部８０と、通信部９０とから構成されており、スキャナ装置１０で読み取った画像データ又はユーザＰＣ等から各種ネットワークを介して通信部９０で取得した画像データを所定の用紙に印刷処理を施している。
【００３５】
給紙部３０は、多数枚の用紙を積載して収納する給紙台や給紙トレイ（本明細書ではエレベータ方式の給紙台を「第１給紙部３１ａ」、フロントローディング方式の第１給紙トレイ、第２給紙トレイをそれぞれ「第２給紙部３１ｂ」、「第３給紙部３１ｃ」という）と、第１給紙部３１ａに積載された最上位置の用紙を１枚ずつ取り出し所定の給紙タイミングで画像形成部４０まで搬送する用紙搬送機構である給紙ローラ３２と、第２給紙部３１ｂ又は第３給紙部３１ｃから最上位置の用紙を１枚ずつ取り出し所定の給紙タイミングで画像形成部４０まで搬送する用紙搬送機構である搬送手段３３とから構成されている。給紙部３０は、印刷に際し、プリンタ印刷情報によって指定された第１給紙部３１ａ、第２給紙部３１ｂ、第３給紙部３１ｃの何れかから１枚ずつ用紙を搬送路に沿って規制しながら搬送し、所定の給紙タイミングで画像形成部４０に用紙を供給するユニットである。
【００３６】
画像形成部４０は、給紙部３０から供給された用紙の斜行を補正し、先端を所定の印刷タイミングに合せて用紙を給紙するレジストローラ対４１と、例えば電子写真方式では感光体ドラムや現像装置、インクジェット方式ではＣ（シアン）、Ｍ（マゼンタ）、Ｙ（イエロー）、Ｋ（ブラック）のインク色毎のインクジェットヘッド、孔版印刷方式では印刷ドラムに該当し、給紙された用紙に所望の画像を印刷する画像形成手段４２と、周回する環状の搬送ベルト４３ａ及び搬送ベルト４３ａを所定方向に回動させる搬送ベルトローラ４３ｂが協働して用紙を搬送する用紙搬送機構である搬送手段４３とから構成されている。画像形成部４０は、給紙部３０から供給された用紙を搬送手段４３で搬送しながら画像形成手段４２によって所望の画像を印刷するユニットである。
【００３７】
排紙部５０は、画像形成装置２０の上方側面に設けられた印刷済みの用紙を積載する排紙台５１と、印刷済みの用紙を印刷面が下方を向いた状態で画像形成部４０から排紙台５１に導く排紙経路５２と、排紙経路５２上の用紙を１枚ずつ送り出す用紙搬送機構である複数の排紙ローラ対５３とから構成されている。排紙部５０は、画像形成部４０において印刷が終了した用紙を搬送して排紙するユニットである。
【００３８】
反転部６０は、片面印刷済みの用紙を反転させ、未印刷面が上方を向いた状態で用紙を再び画像形成部４０に送り出す機構であり、排紙台５１の裏側に設けられた用紙反転用のバッファ６１と、排紙経路５２の途中から分岐して用紙をバッファ６１へ導く分岐経路６２と、バッファ６１から用紙を再度画像形成部４０へ導く再給紙経路６３と、分岐経路６２及び再給紙経路６３上の用紙を１枚ずつ送り出す用紙搬送機構である複数の反転ローラ対６４とから構成されている。反転部６０は、両面印刷の際に片面印刷済みの用紙を反転させ、所定タイミングで画像形成部４０に再度搬送するユニットである。
【００３９】
操作表示部７０は、液晶ディスプレイなどの表示パネルや、方向キー（上下左右）やテンキー、設定キー等の操作キーとから構成されている。操作表示部７０は、制御部８０の制御により、ユーザＰＣからのジョブデータの内容、印刷設定に関する設定内容（色指定、印刷濃度、印刷枚数、用紙サイズ等）やスキャナ装置１０によるスキャン処理に関する設定内容（画質調整、読取方法、解像度、保存方法等）等の各種設定情報を表示し、この表示内容に基づきユーザが所定のキー操作した際の操作情報を制御部８０に出力する。また、スキャナ装置１０によるスキャン処理に際し、ユーザによってＡＤＦ１２又は原稿台に原稿を設置した後に開始ボタン等が所定操作されると、実行されるスキャン処理の状況を示すスキャン処理情報をスキャナ装置１０と制御部８０に出力される。
【００４０】
なお、操作表示部７０は、液晶パネルのような表示装置と、タッチパッドのような位置入力装置とを組み合わせたタッチパネル方式を採用してもよい。
【００４１】
制御部８０は、例えばＣＰＵやＲＯＭ、ＲＡＭなどで構成されたマイクロコンピュータであり、記憶手段８１、情報判定手段８２を備えて構成されている。
【００４２】
記憶手段８１は、例えばＲＯＭ、ＲＡＭ等の半導体メモリやＨＤＤ等の各種記憶装置で構成され、スキャナ駆動モード選択情報（プリンタ動作状態比較テーブル、プリンタ印刷情報比較テーブル）と、スキャナ駆動制御情報（高ピーク電力駆動制御情報、低ピーク電力駆動制御情報）、の他、画像形成装置２０を駆動するのに必要な各種制御情報を記憶している。また、記憶手段８１は、ユーザＰＣからの入力又は操作表示部７０からの操作情報に基づくプリンタ印刷情報を一時的に記憶している。
【００４３】
ここで、図４を参照しながら、スキャナ駆動モード選択情報を構成するプリンタ動作状態比較テーブル及びプリンタ印刷情報比較テーブルについて説明する。
【００４４】
図４（ａ）に示すように、プリンタ動作状態比較テーブルは、画像形成装置２０における動作状態と、各動作状態に対するピーク電力の高低と、ピーク電力の高低に応じて選択されるスキャナ駆動制御情報（高ピーク電力駆動制御情報、低ピーク電力駆動制御情報）とを関連付けした情報である。
【００４５】
詳述すると、動作状態として「ウォームアップ中（電源ＯＮから通常起動するまでの間）」のときは、システム全体のピーク電力が比較的低いためスキャナ駆動制御情報として「高ピーク電力駆動制御情報」が選択される。また、動作状態として「アイドリング中」のときは、システム全体のピーク電力が比較的低いため、スキャナ駆動制御情報として「高ピーク電力制御情報」が選択される。さらに、動作状態として「クリーニング中（インクジェットヘッドのノズルメンテナンス等）」のときは、システム全体のピーク電力が比較的低いため、スキャナ駆動制御情報として「高ピーク電力制御情報」が選択される。
なお、動作状態として「印刷中」のときは、ピーク電力が印刷処理内容によって異なるため、プリンタ印刷情報比較テーブルによってスキャナ駆動制御情報が選択される。
【００４６】
図４（ｂ）に示すように、プリンタ印刷情報比較テーブルは、画像形成装置２０における印刷処理内容と、各処理内容を実行する際のピーク電力の高低と、ピーク電力の高低に応じて選択されるスキャナ駆動制御情報（高ピーク電力駆動制御情報、低ピーク電力駆動制御情報）とを関連付けした情報である。
【００４７】
詳述すると、印刷処理としてカラーモードが「単色」のときは、ピーク電力が比較的低いためスキャナ駆動制御情報として「高ピーク電力駆動制御情報」が選択され、「複数色（２色又はフルカラー）」のときは、インクジェットへッドを複数駆動してピーク電力が高くなるためスキャナ駆動制御情報として「低ピーク電力駆動制御情報」が選択される。また、用紙の給紙先として「第１給紙部３１ａ」のときは、システム全体のピーク電力が比較的低いためスキャナ駆動制御情報として「高ピーク電力駆動制御情報」が選択され、給紙先が「第２給紙部３１ｂ」のときは、システム全体のピーク電力が比較的低いためスキャナ駆動制御情報として「高ピーク電力駆動制御情報」が選択され、給紙先が「第３給紙部３１ｃ」のときは、搬送時に使用する駆動ローラが多くピーク電力が高いためスキャナ駆動制御情報として「低ピーク電力駆動制御情報」が選択される。さらに、印刷済み用紙の排紙先として「フェイスアップ排紙」のときは、システム全体のピーク電力が比較的低いためスキャナ駆動制御情報として「高ピーク電力駆動制御情報」が選択され、排紙先が「フェイスダウン排紙」のときは、搬送時に使用する駆動ローラが多くピーク電力が高いためスキャナ駆動制御情報として「低ピーク電力駆動制御情報」が選択される。また、印刷モードが「片面」のときは、システム全体のピーク電力が比較的低いためスキャナ駆動制御情報として「高ピーク電力駆動制御情報」が選択され、印刷モードが「両面」のときは、搬送時に使用する駆動ローラが多く反転部６０も駆動してピーク電力が高いためスキャナ駆動制御情報として「低ピーク電力駆動制御情報」が選択される。さらに、画像形成装置２０にフィニッシャー（図示せず）が接続され印刷済み用紙にステープル等の後処理を行うときは、画像形成装置２０の電力とフィニッシャーの電力とでピーク電力が高くなるため、スキャナ駆動制御情報として「低ピーク電力駆動制御情報」が選択される。
【００４８】
情報判定手段８２は、操作表示部７０からスキャナ装置１０でスキャン処理を実行する際に操作されたスキャン実行信号を入力すると、その時点における画像形成装置２０の動作状態を示すプリンタ動作状態情報と、ユーザＰＣ又は操作表示部７０で設定されたプリンタ印刷情報と、記憶手段８１に記憶されるスキャナ駆動モード選択情報とから、現状に則したスキャナ駆動制御情報を選択し、スキャナ装置１０に出力する。
【００４９】
情報判定手段８２によるスキャナ駆動制御情報の判定方法としては、まずスキャン処理を実行する際のスキャン実行信号を入力したときに、入力時における画像形成装置２０の動作状態を示すプリンタ動作状態情報を取得する。次に、取得したプリンタ動作状態情報と記憶手段８１に記憶されるプリンタ動作状態比較テーブルとを照合し、照合結果に応じて適合するスキャナ駆動制御情報を選択してスキャナ装置１０に出力する。
【００５０】
また、プリンタ動作状態情報とプリンタ動作状態比較テーブルとの照合により画像形成装置２０が印刷中であった場合は、さらに実行中の印刷ジョブに関するプリンタ印刷情報を取得する。そして、取得したプリンタ印刷情報と記憶手段８１に記憶されるプリンタ印刷情報比較テーブルと照合し、照合結果に応じて適合するスキャナ駆動制御情報を選択してスキャナ装置１０に出力する。
【００５１】
通信部９０は、各種データの送受信を行う通信インタフェースで構成され、各ユーザが使用するユーザＰＣとの間で接続される各種ネットワーク（例えばEthernet（登録商標）等）を介してプリンタ印刷情報となるジョブデータを受信し、この受信したジョブデータを制御部８０に出力する。
【００５２】
［画像形成システムの処理動作］
次に、上述した画像形成システム１におけるスキャナ装置１０のピーク電力制御に関する処理動作について、図５を参照しながら説明する。
【００５３】
まず、ユーザは、スキャンした原稿をスキャン装置１０にセットし、操作表示部７０を所定操作してスキャンジョブを開始する（ＳＴ１）。この操作に伴い、画像形成装置２０は現在の動作状態を把握するため、プリンタ動作状態情報を取得する（ＳＴ２）。そして、プリンタ動作状態情報を取得すると、現在印刷中であるか否かの判定を行う（ＳＴ３）。
【００５４】
このとき、動作状態が印刷中であった場合は（ＳＴ３−Ｙｅｓ）、次に実行中の印刷ジョブに関するプリンタ印刷情報を取得し（ＳＴ４）、取得したプリンタ印刷情報を実行するにあたりピーク電力が高いか否かの判定を行う（ＳＴ５）。
【００５５】
一方、動作状態が印刷中でなかった場合は（ＳＴ３−Ｎｏ）、画像形成装置２０が低ピーク電力による動作状態であると判定され、低ピーク電力時に選択される高ピーク電力駆動制御情報をスキャン装置１０に出力する（ＳＴ６）。そして、スキャン装置１０は、画像形成装置２０からのスキャナ駆動制御情報（高ピーク電力駆動制御情報）に応じて該当するスキャン処理用駆動モータの駆動制御内容を設定し（ＳＴ８）、スキャン処理を開始する（ＳＴ９）。
【００５６】
ＳＴ５において、プリンタ印刷情報に基づく印刷処理時のピーク電力が高い場合は（ＳＴ５−Ｙｅｓ）、印刷処理によるシステム全体のピーク電力が高く、スキャナ装置１０のピーク電力を抑制する必要があるため、低ピーク電力駆動制御情報をスキャナ装置１０に出力する（ＳＴ７）。そして、スキャン装置１０は、画像形成装置２０からのスキャナ駆動制御情報（低ピーク電力駆動制御情報）に応じて該当するスキャン処理用駆動モータの駆動制御内容を設定し（ＳＴ８）、スキャン動作を開始する（ＳＴ９）
【００５７】
一方、プリンタ印刷情報に基づく印刷処理時のピーク電力が低い場合は（ＳＴ５−Ｎｏ）、印刷処理によるシステム全体のピーク電力が低いため、低ピーク電力時に選択される高ピーク電力駆動制御情報をスキャン装置１０に出力する（ＳＴ６）。そして、スキャン装置１０は、画像形成装置２０からのスキャナ駆動制御情報（低ピーク電力駆動制御情報）に応じて該当するスキャン処理用駆動モータの駆動制御内容を設定し（ＳＴ８）、スキャン動作を開始する（ＳＴ９）。
【００５８】
以上説明したように、上述したスキャナ装置１０は、スキャン動作を開始し、本装置と接続して画像形成システム１を構成する画像形成装置２０における現在の動作状態をプリンタ動作状態情報として取得し、予め設定されたプリンタ動作状態比較テーブルと照合する。そして、適合するスキャナ駆動制御情報をスキャナ装置１０に出力し、画像形成装置２０の動作状態に合わせてスキャナ装置１０におけるスキャン処理時のピーク電力を適切に制御する。
【００５９】
また、プリンタ動作状態情報とプリンタ動作状態比較テーブルとの照合により、画像形成装置２０が印刷中であった場合は、さらに実行中の印刷ジョブに関するプリンタ印刷情報を取得し、取得したプリンタ印刷情報と記憶手段８１に記憶されるプリンタ印刷情報比較テーブルと照合する。そして、適合するスキャナ駆動制御情報をスキャナ装置１０に出力し、画像形成装置２０の動作状態に合わせてスキャナ装置１０におけるスキャン処理時のピーク電力を適切に制御する。
【００６０】
これにより、画像形成システム１を構成する画像形成装置２０の動作状態に関する情報を取得するだけで画像形成装置２０の動作状態に応じたピーク電力が把握できるとともに、システム全体のピーク電力に合わせてスキャナ装置１０のピーク電力を調整制御することができるため、電源電流を測定するような装置を搭載する必要がなく製造コストが抑えられ、さらに本装置を電力供給が不安定な地域に供給した場合であっても、システム全体のピーク電力を適切に抑制することができる。
【００６１】
また、スキャナ装置１０におけるピーク電力抑制制御（すなわち、低ピーク電力駆動制御情報による台形駆動制御）を必要時のみ行うようにするため、スループット低下を最小限に留めることができる。
【００６２】
［その他の実施形態について］
なお、本発明は上記各実施形態に限定されるものではなく、例えば以下に示すように状況等に応じて適宜変更して実施することもできる。また、以下の変更例を任意に組み合わせて実施することもできる。
【００６３】
上述した形態では、図５に示すフローチャート図におけるＳＴ３の処理として、画像形成装置２０の動作状態が印刷中であるか否かの判定を行った後、印刷中であった場合はさらにプリンタ印刷情報を取得してピーク電力の高低を比較しているが、これに限定されることはない。例えば、画像形成装置２０が印刷中であった場合は、図５におけるＳＴ４及びＳＴ５の処理を外し、印刷ジョブ内容に左右されずに全てピーク電力が高いと判定してスキャナ装置１０を高ピーク電力駆動制御情報により駆動制御する構成としても上記実施例と同様の効果を奏することができる。
【００６４】
また、スキャナ駆動制御情報として、高ピーク電力駆動制御情報と低ピーク電力駆動制御情報の２つの制御情報によって、スキャナ処理用駆動モータを駆動制御しているが、これに限定されることはない。例えば、スキャナ駆動制御情報として、画像形成システムの動作状態に応じてより詳細に場合分けを行い、各事象に合わせた台形加速制御を行えるように多数のスキャナ駆動制御情報を設定することもできる。
【００６５】
さらに、スキャナ駆動制御情報による制御方法として、複数のスキャナ駆動制御情報を事前に設定せず、スキャナ駆動制御情報としてある基準値を設定し、プリンタ動作状態情報やプリンタ印刷情報と、基準値に対する調整度合い（調整値）とを関連付けした設定情報から適切な調整度合いを選択して基準値を調整制御する方法でもよい。
【００６６】
また、上述したプリンタ印刷情報比較テーブルにおいて、図４（ｂ）に挙げた処理内容に加えて、印刷設定条件（印刷解像度、印字率、印刷用紙サイズ、印刷速度等）や装置仕様条件（画像形成手段４２がインクジェットへッドであった場合は使用するノズルや１画素あたりのドロップ数等）と組み合わせることで、さらに精度良くピーク電力を推定することができる。
【符号の説明】
【００６７】
１…画像形成システム
１０…スキャナ装置
１１キャリッジ
１２…原稿自動送り装置（ＡＤＦ）
１３…スキャン処理用駆動モータ（１３ａ…キャリッジ移動用モータ、１３ｂ…原稿搬送用モータ）
１４…モータ制御部
２０…画像形成装置
３０…給紙部
３１ａ…第１給紙部
３１ｂ…第２給紙部
３１ｃ…第３給紙部
３２…給紙ローラ
３３…搬送手段
４０…画像形成部
４１…レジストローラ対
４２…画像形成手段
４３…搬送手段（４３ａ…搬送ベルト、４３ｂ…搬送ベルトローラ４３ｂ）
５０…排紙部
５１…排紙台
５２…排紙経路
５３…排紙ローラ対
６０…反転部
６１…バッファ
６２…分岐経路
６３…再給紙経路
６４…反転ローラ対
７０…操作表示部
８０…制御部
８１…記憶手段
８２…情報判定手段
９０…通信部
【図１】
2014050085.tif 000003
【図２】
2014050085.tif 000004
【図３】
2014050085.tif 000005
【図４】
2014050085.tif 000006
【図５】
2014050085.tif 000007